(57)【要約】【課題】  表裏によって異なる情報が読み取られ、その結果に応じて、例えば、異なるゲーム等が展開されることにより、ゲーム内容の多様化が図れて上記したゲームの高度化、複雑化に対応可能となるカード型媒体，スキャナ及びこれらを用いた媒体表裏判別システムを提供する。【解決手段】  メモリーに記録されたＩＤを無線によって通信するＲＦＩＤタグ２を内蔵したカード型媒体８であって、中心から両側に少なくとも２つの領域に分け、そのうち一方の領域内に通信部５を含むＲＦＩＤタグ２を内蔵してなる。【選択図】    図１
2006277669.tif 000002
【特許請求の範囲】
【請求項１】
メモリーに記録されたＩＤを無線によって通信するＲＦＩＤタグを内蔵したカード型媒体であって、
中心から両側に少なくとも２つの領域に分け、そのうち一方の領域内に通信部を含む前記ＲＦＩＤタグを内蔵してなることを特徴とするカード型媒体。
【請求項２】
カード型媒体に内蔵されるＲＦＩＤタグのメモリーに記録されたＩＤを無線によって通信するスキャナであって、
前記カード型媒体がかざされ又は載置される媒体載置面に、表判別用スキャナーアンテナ及び裏判別用スキャナーアンテナを互いに隣り合うように配置してなることを特徴とするスキャナ。
【請求項３】
表判別用スキャナーアンテナ及び裏判別用スキャナーアンテナが互いに隣り合うように配置されている媒体載置面を有するスキャナと、
中心から両側に少なくとも２つの領域に分け、そのうち一方の領域内に、前記スキャナの前記媒体載置面上にかざされ又は載置されて前記スキャナとの間で無線通信を行う、通信部を含むＲＦＩＤタグを内蔵したカード型媒体とを備えてなることを特徴とする媒体表裏判別システム。
【請求項４】
前記ＲＦＩＤタグと、該ＲＦＩＤタグと通信を行わない一方のスキャナーアンテナとの距離が、前記ＲＦＩＤタグと通信を行う他方のスキャナーアンテナの最大無線通信距離よりも大きいことを特徴とする請求項３記載の媒体表裏判別システム。
【請求項５】
メモリーに記録されたＩＤを無線によって通信するＲＦＩＤタグを内蔵したカード型媒体であって、
中心から両側に少なくとも２つの領域に分け、それぞれの領域内に、通信部を含む前記ＲＦＩＤタグを内蔵してなることを特徴とするカード型媒体。
【請求項６】
２つの前記ＲＦＩＤタグのうち、一方のＲＦＩＤタグに表面を識別するＩＤを記録し、他方のＲＦＩＤタグに裏面を識別するＩＤを記録したことを特徴とする請求項５に記載のカード型媒体。
【請求項７】
カード型媒体に内蔵されるＲＦＩＤタグのメモリーに記録されたＩＤを無線によって通信するスキャナであって、
前記カード型媒体がかざされ又は載置される媒体載置面の中心から両側に少なくとも２つの領域に分け、そのうち一方の領域内に、前記ＲＦＩＤタグのＩＤを識別して前記カード型媒体の表裏を判別する表裏判別用スキャナーアンテナを内蔵したことを特徴とするスキャナ。
【請求項８】
中心から両側に少なくとも２つの領域に分け、一方の領域内に表面を識別するＩＤが記録された通信部を含むＲＦＩＤタグを内蔵し、他方の領域内に裏面を識別するＩＤが記録されたＲＦＩＤタグを内蔵したカード型媒体と、
該カード型媒体がかざされ又は載置される媒体載置面の中心から両側に少なくとも２つの領域に分け、そのうち一方の領域内に、前記ＲＦＩＤタグのＩＤを識別して前記カード型媒体の表裏を判別する表裏判別用スキャナーアンテナを内蔵したスキャナとを備えてなることを特徴とする媒体表裏判別システム。
【発明の詳細な説明】
【技術分野】
【０００１】
本発明は、カード型媒体，スキャナ及びこれらを用いた媒体表裏判別システムに関する。
【背景技術】
【０００２】
従来から、非接触式ＩＣチップを用いたＲＦＩＤ（Ｒａｄｉｏ  Ｆｒｅｑｕｅｎｃｙ  ＩＤｅｎｔｉｆｉｃａｔｉｏｎ）タグを内蔵したＲＦＩＤ媒体を使用して、ゲーム等を楽しむことが行われている。
このようなものに、非接触ＩＣタグラベルを装着した紙製ＩＣカード及びゲーム用紙製ＩＣカードが提供されている。この紙製ＩＣカードは、カード用の紙基材面に印刷を施し、その一方の面に、導電性インキにより２片に分離したアンテナパターンを印刷し、アンテナパターンを印刷した面であって双方のアンテナパターンに接触する位置、或いはアンテナパターンを印刷した面と他面側であって双方のアンテナパターンに近接する位置に凹孔を設け、この凹孔内に非接触通信機能を有するタグラベルを装着している。このゲーム用紙製ＩＣカードは、表面にキャラクターの印刷を施し、ＩＣチップにキャラクターの機能、パワー等を記録している（特許文献１参照）。
【特許文献１】特開２００３−８５５１０号公報
【発明の開示】
【発明が解決しようとする課題】
【０００３】
上記した紙製ＩＣカードでは、ＩＣチップに記録されているデータにより各種のゲームを楽しむことができるが、カードの表裏に関係なく同じ情報が読み取られてゲームが開始されるため、ゲームが単純になりやすい。近年、ゲームはより高度且つ複雑になってきており、このようなゲームの高度化、複雑化に対応可能なカードが望まれている。
【０００４】
本発明は、表裏によって異なる情報が読み取られ、その結果に応じて、例えば、異なるゲーム等が展開されることにより、ゲーム内容の多様化が図れて上記したゲームの高度化、複雑化に対応可能となるカード型媒体，スキャナ及びこれらを用いた媒体表裏判別システムの提供にある。
【課題を解決するための手段】
【０００５】
そこで、本発明において上記目的を達成するために、まず請求項１に係る発明は、メモリーに記録されたＩＤを無線によって通信するＲＦＩＤタグを内蔵したカード型媒体であって、中心から両側に少なくとも２つの領域に分け、そのうち一方の領域内に通信部を含むＲＦＩＤタグを内蔵してなることを特徴とする。
【０００６】
また、請求項２に係る発明は、カード型媒体に内蔵されるＲＦＩＤタグのメモリーに記録されたＩＤを無線によって通信するスキャナであって、カード型媒体がかざされ又は載置される媒体載置面に、表判別用スキャナーアンテナ及び裏判別用スキャナーアンテナを互いに隣り合うように配置してなることを特徴とする。
【０００７】
また、請求項３に係る発明は、表判別用スキャナーアンテナ及び裏判別用スキャナーアンテナが互いに隣り合うように配置されている媒体載置面を有するスキャナと、中心から両側に少なくとも２つの領域に分け、そのうち一方の領域内に、前記スキャナの前記媒体載置面上にかざされ又は載置されて前記スキャナとの間で無線通信を行う、通信部を含むＲＦＩＤタグを内蔵したカード型媒体とを備えてなることを特徴とする。
【０００８】
また、請求項４に係る発明は、請求項３に係る発明において、ＲＦＩＤタグと、このＲＦＩＤタグと通信を行わない一方のスキャナーアンテナとの距離が、ＲＦＩＤタグと通信を行う他方のスキャナーアンテナの最大無線通信距離よりも大きいことを特徴とする。
【０００９】
また、請求項５に係る発明は、メモリーに記録されたＩＤを無線によって通信するＲＦＩＤタグを内蔵したカード型媒体であって、中心から両側に少なくとも２つの領域に分け、それぞれの領域内に、通信部を含む前記ＲＦＩＤタグを内蔵してなることを特徴とする。
【００１０】
また、請求項６に係る発明は、請求項５に係る発明において、２つのＲＦＩＤタグのうち、一方のＲＦＩＤタグに表面を識別するＩＤを記録し、他方のＲＦＩＤタグに裏面を識別するＩＤを記録したことを特徴とする。
【００１１】
また、請求項７に係る発明は、カード型媒体に内蔵されるＲＦＩＤタグのメモリーに記録されたＩＤを無線によって通信するスキャナであって、カード型媒体がかざされ又は載置される媒体載置面の中心から両側に少なくとも２つの領域に分け、そのうち一方の領域内に、ＲＦＩＤタグのＩＤを識別してカード型媒体の表裏を判別する表裏判別用スキャナーアンテナを内蔵したことを特徴とする。
【００１２】
また、請求項８に係る発明は、中心から両側に少なくとも２つの領域に分け、一方の領域内に表面を識別するＩＤが記録された通信部を含むＲＦＩＤタグを内蔵し、他方の領域内に裏面を識別するＩＤが記録されたＲＦＩＤタグを内蔵したカード型媒体と、このカード型媒体がかざされ又は載置される媒体載置面の中心から両側に少なくとも２つの領域に分け、そのうち一方の領域内に、ＲＦＩＤタグのＩＤを識別してカード型媒体の表裏を判別する表裏判別用スキャナーアンテナを内蔵したスキャナとを備えてなることを特徴とする。
【発明の効果】
【００１３】
請求項１に係る発明によれば、通信部を含むＲＦＩＤタグが、中心から両側に分けられる２つの領域のうち一方の領域内に内蔵されているので、他方の領域に通信部が及ぶことはなく情報を授受する通信位置を偏らせることができる。したがって、カード型媒体を表裏させることによってＲＦＩＤタグの位置を平面上で変えられるので、このＲＦＩＤタグの位置とカード型媒体の表裏関係を利用することにより、ゲーム等の更なる高度化、複雑化に対応できる。
【００１４】
請求項２に係る発明によれば、カード型媒体がかざされ又は載置される媒体載置面に、表判別用スキャナーアンテナ及び裏判別用スキャナーアンテナが互いに隣り合うように配置されているので、カード型媒体に内蔵されるＲＦＩＤタグのメモリーに記録されたＩＤを無線によって通信する際、ＲＦＩＤタグと対向した方のスキャナーアンテナがＲＦＩＤタグと通信する。よって、予め、カード型媒体が、その表面を上方に向け、裏面側を対向させるようにして媒体載置面上にかざされ又は載置された場合には、ＲＦＩＤタグが表判別用スキャナーアンテナと応答するように設定し、カード型媒本体が、その裏面を上方に向け、表面側を対向させるようにして媒体載置面上にかざされ又は載置された場合には、ＲＦＩＤタグが裏判別用スキャナーアンテナと応答するように設定しておくことにより、かざされ又は載置されたカード型媒体の表裏を識別することができる。この表裏関係を利用することにより、ゲーム等の更なる高度化、複雑化に対応できる。
【００１５】
請求項３に係る発明によれば、表判別用スキャナーアンテナ及び裏判別用スキャナーアンテナが互いに隣り合うように配置されている媒体載置面上に、通信部を含むＲＦＩＤタグを、中心から両側に分けられる２つの領域のうち一方の領域内に内蔵したカード型媒体がかざされ又は載置されると、ＲＦＩＤタグは、表判別用スキャナーアンテナ及び裏判別用スキャナーアンテナのうち一方のスキャナーアンテナとのみ通信を行い、そのスキャナーアンテナが表判別用スキャナーアンテナ或いは裏判別用スキャナーアンテナのどちらであったかによって、カード型媒体が表裏どちらの面でかざされたか又は載置されたかの判別を行う。
この表裏関係を利用することにより、ゲーム等の更なる高度化、複雑化に対応可能な新しいシステムを構築することができる。
【００１６】
請求項４に係る発明によれば、通信部を含むＲＦＩＤタグと、このＲＦＩＤタグと通信を行わない一方のスキャナーアンテナとの距離が、ＲＦＩＤタグと通信を行う他方のスキャナーアンテナの最大無線通信距離よりも大きいので、ＲＦＩＤタグが両方のスキャナーアンテナと通信を行うことを防ぎ、どちらか一方のスキャナーアンテナとのみ通信を行うことになる。
【００１７】
請求項５に係る発明によれば、その中心から両側に少なくとも２つの領域に分け、それぞれの領域内に、通信部を含む前記ＲＦＩＤタグが内蔵されるので、一方のＲＦＩＤタグに表面を識別するＩＤを記録し、他方のＲＦＩＤタグに裏面を識別するＩＤを記録すれば、カード型媒体の表裏を判別可能となる。この表裏関係を利用することにより、ゲーム等の更なる高度化、複雑化に対応できる。
【００１８】
請求項６に係る発明によれば、通信部を含む２つのＲＦＩＤタグのうち、一方のＲＦＩＤタグに表面を識別するＩＤを記録し、他方のＲＦＩＤタグに裏面を識別するＩＤを記録したので、カード型媒体の表裏を判別可能となる。この表裏関係を利用することにより、ゲーム等の更なる高度化、複雑化に対応できる。
【００１９】
請求項７に係る発明によれば、媒体載置面の中心から両側に分けられる２つの領域のうち、一方の領域内に表裏判別用スキャナーアンテナが内蔵されているので、媒体載置面上にカード型媒体がかざされ又は載置された場合、表裏判別用スキャナーアンテナに応答したＲＦＩＤタグに記録されているＩＤが、表裏どちらのＩＤなのかを識別することによってカード型媒体の表裏を判別することができる。
【００２０】
請求項８に係る発明によれば、中心から両側に少なくとも２つの領域に分け、一方の領域内に表面を識別するＩＤが記録された通信部を含むＲＦＩＤタグを内蔵し、他方の領域内に裏面を識別するＩＤが記録されたＲＦＩＤタグを内蔵したカード型媒体と、このカード型媒体がかざされ又は載置される媒体載置面の中心から両側に少なくとも２つの領域に分け、そのうち一方の領域内に、ＲＦＩＤタグのＩＤを識別してカード型媒体の表裏を判別する表裏判別用スキャナーアンテナを内蔵したスキャナとにより、表裏判別用スキャナーアンテナに応答したＲＦＩＤタグに記録されたＩＤが表裏どちらの面のＩＤなのかを識別することにより、カード型媒体が表裏どちらの面で媒体載置面上にかざされ又は載置されたのかを判別することができる。
この表裏関係を利用することにより、ゲームの更なる高度化、複雑化に対応可能な新しいシステムを構築することができる。
【発明を実施するための最良の形態】
【００２１】
以下、図１から図５を参照しながら、本発明の第１実施形態の表裏判別システムについて説明する。
図１は、本発明の第１の実施形態による表裏判別可能カード（カード型媒体）１は、内蔵されたＲＦＩＤ（Ｒａｄｉｏ  Ｆｒｅｑｕｅｎｃｙ  Ｉｄｅｎｔｉｆｉｃａｔｉｏｎ）タグ２を情報媒体として、例えば、ユーザーが利用する表裏判別可能カード１と図４に示すようなゲーム機などの上位装置３との間で情報の授受を可能とするものである。
【００２２】
ＲＦＩＤタグ２は、非接触ＩＣチップなどの非接触型の媒体機構を用いて、無線で情報を読み取る自動認識技術に使用される非接触タグであり、無線タグとも呼ばれ、無線通信による情報の書込み、読み取りが可能なものである。このように、主として無線周波数を通信に利用するＲＦＩＤタグ２は、データを記録するためのメモリーと、このメモリーに記録されたデータの処理回路と、データを無線周波数で搬送するための通信部５とを備えている。そして、メモリーと処理回路とで図１に示すＬＳＩ（Ｌａｒｇｅ  ｓｃａｌｅ  ｉｎｔｅｇｒａｔｅｄ  ｃｉｒｃｕｉｔ）４が構成される。ＲＦＩＤタグ２の電源は、外部からデータの搬送波として利用する電磁波から必要な電力を取り出すか、ＲＦＩＤタグ２に内蔵される電池に依存する。
【００２３】
図１に示す表裏判別可能カード１は、カード本体８と、ＲＦＩＤタグ２とから構成されている。
カード本体８は、薄型長方形状を呈しており、その幅方向において中心から両側の２つの領域に分けられ、一方の領域が上記したＬＳＩ４及び通信部５から構成されるＲＦＩＤタグ２の全体が内蔵されるＲＦＩＤタグ配置領域６、他方の領域がＲＦＩＤタグ２が内蔵されないＲＦＩＤタグ非配置領域７とされている。詳しくは、表裏判別可能カード１の四隅のうち、ＲＦＩＤタグ配置領域６の長手方向一方の角部に配置されている。表裏判別可能カード１の中央部にＲＦＩＤタグ２を配置させた場合、表裏判別可能カード１が変形した場合にＲＦＩＤタグ２が破損する虞があるため、上記のように曲げ応力を受けない偏心位置に配置させる。
なお、カード本体８を長手方向中心から両側に２つの領域に分け、片側の範囲内にＲＦＩＤタグ２を内蔵してもよい。
また、メモリー内には、例えばゲームのコンテンツ等のＩＤが記録されているものとする。
【００２４】
図２に示すスキャナ１２は、上記したＲＦＩＤタグ２のメモリーに記録された情報を無線通信により授受するものであり、ここで読み取られた情報は、スキャナーコントローラ１３から上位装置３のサーバへと転送される。
このようなスキャナ１２に備えられるスキャナ本体１１は、表裏判別可能カード１の形状に沿って形成され、ここでは薄型長方形状を呈し、表裏判別可能カード１がかざされる、又は載置される媒体載置面１４を有している。媒体載置面１４は、その幅方向及び長手方向のそれぞれについて中心部から両側の２つの領域に分けられ、全体が平面視における４つの領域２３，２４，２５，２６に分割されている。それらのうち、長手方向一側の２つの領域２３，２４に、表面判別用スキャナーアンテナ９，裏面判別用スキャナーアンテナ１０がそれぞれ１つずつ内蔵されている。つまり、２つの領域２３，２４のうち、一方の領域２３に表面判別用スキャナーアンテナ９が内蔵され、他方の領域２４に裏面判別用スキャナーアンテナ１０が内蔵されており、これら表面判別用スキャナーアンテナ９及び裏面判別用スキャナーアンテナ１０が互いに隣り合うようにして配置されている。これら２つのスキャナーアンテナは、上記ＲＦＩＤタグ２と電波により電力の送受を行う。また、これら２つのスキャナーアンテナから出力される電波が互いに影響を及ぼさないように、その出力が調整されている。
【００２５】
図３は、表裏判別可能カード１がスキャナ１２上にかざされた時の双方の側断面図である。
図３及び図４に示すように、表裏判別可能カード１が、その表面１６を上方に向け、その裏面１７を媒体載置面１４に全面的に対向させるようにして、媒体載置面１４上にかざされ又は載置された場合、表裏判別可能カード１におけるＲＦＩＤタグ２を内蔵したＲＦＩＤタグ配置領域６と、媒体載置面１４における領域２３とが上下方向で重なる。この状態では、領域２３に内蔵された表面判別用スキャナーアンテナ９から出力される電波に対してのみ、ＲＦＩＤタグ２はＩＤを応答させる。
【００２６】
そして図４に示すスキャナーコントローラ１３は、ＲＦＩＤタグ２からの情報が、表面判別用スキャナーアンテナ９からポート１８へ入力されたことをもとに、表裏判別可能カード１が表面１６を媒体載置面１４とは反対に配置してかざされたことを判別し、表面識別信号を上位装置３へと送信する。
【００２７】
また、図５に示すように、表裏判別可能カード１がその裏面１７を上方に向け、表面１６を媒体載置面１４に全面的に対向させるようにして、媒体載置面１４上にかざされ又は載置された場合、表裏判別可能カード１におけるＲＦＩＤタグ２を内蔵したＲＦＩＤタグ配置領域６と、媒体載置面１４における領域２４とが上下方向で重なる。この状態では、領域２４に内蔵された裏面判別用スキャナーアンテナ１０から出力される電波に対してのみ、ＲＦＩＤタグ２はＩＤを応答させる。
【００２８】
そして、スキャナーコントローラ１３は、ＲＦＩＤタグ２からの情報が、裏面判別用スキャナーアンテナ１０からポート１９へ入力されたことをもとに表裏判別可能カード１が裏面１７を媒体載置面１４とは反対に配置してかざされたと判断し、裏面識別信号を上位装置３へ送信する。
【００２９】
このように、通信部５を含むＲＦＩＤタグ２が、幅方向における片側の範囲内に内蔵されているので、他側に通信部５が及ぶことはなく情報を授受する通信位置を偏らせることができる。したがって、表裏判別可能カード１を表裏させることによってＲＦＩＤタグ２の位置を平面上で変えられるので、スキャナーアンテナ９，１０のうちのＲＦＩＤタグ２と重なるスキャナーアンテナのみがＲＦＩＤタグ２との無線通信ができるようになっている。
【００３０】
また、通信部５を含むＲＦＩＤタグ２と、このＲＦＩＤタグ２と通信を行わない一方のスキャナーアンテナとの距離が、ＲＦＩＤタグ２と通信を行う他方のスキャナーアンテナの出力の最大無線通信距離よりも大きいので、ＲＦＩＤタグ２が両方のスキャナーアンテナと通信を行うことを防ぐことができるとともに、ＲＦＩＤタグ２は必ずどちらか一方のスキャナーアンテナとのみ通信を行うことになる。つまり、ＲＦＩＤタグ２は、表面判別用スキャナーアンテナ９及び裏面判別用スキャナーアンテナ１０のうちどちらか一方のスキャナーアンテナとのみ通信を行い、そのスキャナーアンテナが表面判別用スキャナーアンテナ９或いは裏面判別用スキャナーアンテナ１０のどちらであったかによって、表裏判別可能カード１が表裏どちらの面でスキャナ１２上にかざされたかの判別を行う。
【００３１】
これにより、ＲＦＩＤタグ２のＩＤを迅速且つ確実に授受することができ、ユーザーの意向と異なった情報が授受されてしまうことを防ぐとともに通信の不具合によるトラブルの防止も図れる。
さらに、このＲＦＩＤタグ２の位置と表裏判別可能カード１の表裏関係を利用することにより、ゲーム等の更なる高度化、複雑化に対応できる。すなわち、表裏判別可能カード１の表裏によってゲームの内容が変えられるなど、サービスを向上させることができるとともにユーザーのプレイ意欲の向上を図ることができる。
【００３２】
さらに、スキャナ本体１１の媒体載置面１４に対して表裏判別可能カード１が上下方向において全面的に重なるようにかざされ又は載置される際、表裏判別可能カード１の表裏どちらの面でかざされ又は載置されても、ＲＦＩＤタグ２が、スキャナ１２の表面判別用スキャナーアンテナ９及び裏面判別用スキャナーアンテナ１０のうちどちらか一方と必ず重なるように、表裏判別可能カード１の表面１６及び裏面１７に、その表裏を示すとともに内蔵されたＲＦＩＤタグ２の位置が分かるように矢印等のマークを設けておくことにより、表裏判別可能カード１の方向性が決定される。これにより、表裏判別可能カード１のユーザーは、そのマークを目印にして表裏判別可能カード１の方向性を定め、スキャナ１２上にかざす又は載置させることができる。
【００３３】
なお、上記したように、複数のスキャナーアンテナを１つのスキャナーコントローラ１３で制御させてもよく、或いは１つのスキャナーアンテナに対して１つのスキャナーコントローラ１３で制御させてもよい。また、通信部５を含むＲＦＩＤタグ２を表裏判別可能カード１の長手方向の片側の範囲内に内蔵し、表面判別用スキャナーアンテナ９，裏面判別用スキャナーアンテナ１０を媒体載置面１４の長手方向両側に設けても、同様の効果を奏することができる。
【００３４】
次に、図６から図１０を参照しながら、本発明の第２実施形態の表裏判別システムについて説明する。
第２実施形態におけるスキャナ２２は、図６に示すように、上記において４つの領域２３〜２６に分割されたスキャナ本体１１の媒体載置面１４にスキャナーアンテナが１つずつ内蔵されている。上記したように、媒体載置面１４の長手方向一側の領域２３には、表面判別用スキャナーアンテナ９が内蔵され、領域２４には、裏面判別用スキャナーアンテナ１０が内蔵されている。さらに、媒体載置面１４の長手方向他側の領域２５には、表面判別用スキャナーアンテナ９を内蔵させ、領域２６には裏面判別用スキャナーアンテナ１０を内蔵させる。このように、隣り合うスキャナーアンテナ同士は、互いに表裏異なる判別を行うスキャナーアンテナとなるように内蔵されている。さらに、これら４つのスキャナーアンテナから出力される電波が互いに影響を及ぼさないように、その出力が調整されている。
【００３５】
図７から図１０は、上記した表裏判別可能カード１がスキャナ２２上にかざされた時の概略図である。
図７に示すように、表裏判別可能カード１がその表面１６を上方に向け、その裏面１７を媒体載置面１４に全面的に対向させるようにして、媒体載置面１４にかざされ又は載置された場合、表裏判別可能カード１におけるＲＦＩＤタグ２を内蔵したＲＦＩＤタグ配置領域６と、媒体載置面１４における領域２３とが上下方向で重なる。この状態では、領域２３に内蔵された表面判別用スキャナーアンテナ９から出力される電波に対して、ＲＦＩＤタグ２がＩＤを応答させる。そして、スキャナーコントローラ１３は、ＲＦＩＤタグ２からの情報が、表面判別用スキャナーアンテナ９からポート１８へ入力されたことをもとに表裏判別可能カード１が表面１６を媒体載置面１４とは反対に配置してかざされたことを判別する。
【００３６】
図８に示すように、表面１６を上方にしたまま表裏判別可能カード１の向きを水平面上で反転させた状態で、媒体載置面１４に対して表裏判別可能カード１の裏面１７側を全面的に対向させるようにして、媒体載置面１４にかざされ又は載置された場合、表裏判別可能カード１におけるＲＦＩＤタグ２を内蔵したＲＦＩＤタグ配置領域６と、媒体載置面１４における領域２５とが上下方向で重なる。この状態では、領域２５に内蔵された表面判別用スキャナーアンテナ９から出力される電波に対して、ＲＦＩＤタグ２がＩＤを応答させる。そして、スキャナーコントローラ１３は、ＲＦＩＤタグ２からの情報が、表面判別用スキャナーアンテナ９からポート２１へ入力されたことをもとに表裏判別可能カード１が表面１６を媒体載置面１４とは反対に配置してかざされたことを判別する。
【００３７】
図９に示すように、表裏判別可能カード１がその裏面１７を上方に向け、表面１６側を媒体載置面１４に全面的に対向するようにしてかざされ又は載置された場合、表裏判別可能カード１におけるＲＦＩＤタグ２を内蔵したＲＦＩＤタグ配置領域６と、媒体載置面１４における領域２４とが上下方向で重なる。この状態では、領域２４に内蔵された裏面判別用スキャナーアンテナ１０から出力される電波に対して、ＲＦＩＤタグ２はＩＤを応答させる。そして、スキャナーコントローラ１３は、ＲＦＩＤタグ２からの情報が、裏面判別用スキャナーアンテナ１０からポート１９へ入力されたことをもとに表裏判別可能カード１が裏面１７を媒体載置面１４とは反対に配置してかざされたことを判別する。
【００３８】
図１０に示すように、裏面１７を上方にしたまま表裏判別可能カード１の向きを水平面上で反転させた状態で、媒体載置面１４に対して表裏判別可能カード１の表面１６側を全面的に対向させるようにして、媒体載置面１４にかざされ又は載置された場合、表裏判別可能カード１におけるＲＦＩＤタグ２を内蔵したＲＦＩＤタグ配置領域６と、媒体載置面１４における領域２６とが上下方向で重なる。この状態では、領域２６に内蔵された裏面判別用スキャナーアンテナ１０から出力される電波に対して、ＲＦＩＤタグ２がＩＤを応答させる。そして、ＲＦＩＤタグ２からの情報が、裏面判別用スキャナーアンテナ１０からポート２０へ入力されたことをもとに表裏判別可能カード１が裏面１７を媒体載置面１４とは反対に配置してかざされたことを判別する。
【００３９】
このように、スキャナ２２にスキャナーアンテナを４つ内蔵させ、且つそれぞれ表裏異なる判別を行うスキャナーアンテナを隣り合うように配置させることによって、媒体載置面１４上にかざされる表裏判別可能カード１の方向性に関係なく、その表裏を判別することができる。
【００４０】
次に、図１１から図１４を参照しながら、本発明の第３実施形態の表裏判別システムについて説明する。
第３実施形態における第２表裏判別可能カード（カード型媒体）３２は、図１１に示すように、その幅方向中心部に、長手方向に沿って互いに所定の間隔を有した２つのＲＦＩＤタグ２７，２８が内蔵されている。この場合も、第２表裏判別可能カード３２の変形の影響を受けないように、第２表裏判別可能カード３２の中央部を避けて配置されている。
詳しくは、カード本体３３を、その長手方向中心から両側の２つの領域に分け、一方の領域の略中心部に、メモリーに表面判別ＩＤが記録された表面用ＲＦＩＤタグ２７が配置され、他方の領域の略中心部に、メモリーに裏面判別ＩＤが記録された裏面用ＲＦＩＤタグ２８が配置されて第２表裏判別可能カード３２が構成されている。
このとき、２つのＲＦＩＤタグ２７，２８は、互いに干渉しない位置に内蔵されている。
【００４１】
そして、このような第２表裏判別可能カード３２は、図１１に示すように、角部Ｂ１，Ｂ２，Ｂ３，Ｂ４を繋ぐ表面１６と、角部Ａ１，Ａ２，Ａ３，Ａ４を繋ぐ裏面１７とを有して構成されている。
【００４２】
上記第２表裏判別可能カード３２に対応するスキャナ３１は、図１２に示すように、角部Ｃ１，Ｃ２，Ｃ３，Ｃ４を繋ぐ媒体載置面１４を有するスキャナ本体１１を備えており、スキャナ本体１１は、その長手方向中心部から両側の２つの領域に分けられている。スキャナ３１は、これらのうちの一方の領域の略中央部に内蔵された表裏判別用スキャナーアンテナ３０と、リーダライタモジュール１５とから構成されている。
【００４３】
なお、表裏判別用スキャナーアンテナ３０は、媒体載置面１４上に表裏判別可能カード３２をかざした場合、表裏判別用スキャナーアンテナ３０が一方のＲＦＩＤタグとのみしか無線通信を行わないように内蔵されているとともに、同じく一方のＲＦＩＤタグとのみしか無線通信を行わないようにその出力の調整がなされているものとする。
【００４４】
第２表裏判別可能カード３２がスキャナ３１にかざされ又は載置された時について述べる。
図１３及び図１４は、第２表裏判別可能カード３２がスキャナ３１上にかざされた時の概略図である。
第２表裏判別可能カード３２が、その表面１６を上方に向け、裏面１７の角部Ａ１，Ａ２，Ａ３，Ａ４を、スキャナ３１における媒体載置面１４の角部Ｃ１，Ｃ２，Ｃ３，Ｃ４に、重なるようにかざされ又は載置された場合、表裏判別用スキャナーアンテナ３０に対して応答するのは、表面用ＲＦＩＤタグ２７のみである。このようにして、スキャナ３１は、表面用ＲＦＩＤタグ２７から表面ＩＤを受信することにより、第２表裏判別可能カード３２が表面１６を媒体載置面１４とは反対にしてかざされ又は載置されたと判断して、その判断に基づく処理を行う。
【００４５】
また、第２表裏判別可能カード３２が、その裏面１７を上方に向け、表面１６の角部Ｂ２，Ｂ１，Ｂ４，Ｂ３を、スキャナ３１における媒体載置面１４の角部Ｃ１，Ｃ２，Ｃ３，Ｃ４に重なるようにかざされ又は載置された場合、表裏判別用スキャナーアンテナ３０に対して応答するのは、裏面用ＲＦＩＤタグ２８のみである。このようにして、スキャナ３１は、裏面用ＲＦＩＤタグ２８から裏面ＩＤを受信することにより、第２表裏判別可能カード３２が裏面１７でかざされたと判断して、その判断に基づく処理を行うことになる。
【００４６】
このように、通信部５を含むＲＦＩＤタグ２７，２８が、第２表裏判別可能カード３２の長手方向中心から両側にそれぞれ内蔵されているので、一方のＲＦＩＤタグに表面を識別するＩＤを記録し、他方のＲＦＩＤタグに裏面を識別するＩＤを記録すれば、カード型媒体の表裏を判別可能となる。この表裏関係を利用することにより、ゲーム等の更なる高度化、複雑化に対応できる。
【００４７】
また、通信部５を含む２つのＲＦＩＤタグ２７，２８のうち、一方のＲＦＩＤタグ２７に表面１６を識別するＩＤを記録し、他方のＲＦＩＤタグ２８に裏面１７を識別するＩＤを記録したので、カード型媒体の表裏を判別可能となる。この表裏関係を利用することにより、ゲーム等の更なる高度化、複雑化に対応できる。
【００４８】
さらに、媒体載置面１４の長手方向或いは幅方向一側に表裏判別用スキャナーアンテナ３０が内蔵されているので、媒体載置面１４上に第２表裏判別可能カード３２がかざされ又は載置された場合、表裏判別用スキャナーアンテナ３０に応答したＲＦＩＤタグ２７，２８のＩＤが表裏どちらの面のＩＤなのかを識別することによって、第２表裏判別可能カード３２の表裏を判別することができる。
【００４９】
そして、表面１６を識別するＩＤが記録された通信部５を含むＲＦＩＤタグ２７及び裏面１７を識別するＩＤが記録されたＲＦＩＤタグ２８を、長手方向中心或いは幅方向中心から両側であって互いに干渉しない位置に分離して内蔵した第２表裏判別可能カード３２と、媒体載置面１４上にかざされ又は載置される第２表裏判別可能カード３２内のＲＦＩＤタグ２７，２８のＩＤを識別して第２表裏判別可能カード３２の表裏を判別する表裏判別用スキャナーアンテナ３０を、媒体載置面１４の長手方向或いは幅方向の一側に内蔵したスキャナ３１とにより、表裏判別用スキャナーアンテナ３０に応答したどちらか一方のＲＦＩＤタグに記録されたＩＤが表裏どちらの面のＩＤなのかを識別することにより、第２表裏判別可能カード３２が表裏どちらの面で媒体載置面１４上にかざされ又は載置されたのかを判別することができる。
この表裏関係を利用することにより、ゲーム等の更なる高度化、複雑化に対応可能な新しいシステムを構築することができる。
【００５０】
なお、上記実施形態において、長方形状のカード本体８として例を述べたが、長方形状に限らずそれ以外の形状でもよい。すなわち、スキャナ１２によって表裏判別可能カード１の表裏を確実に判別できるようにＲＦＩＤタグ２の配置が可能であれば、その形状は特に問わない。
さらに、アミューズメントカードゲームだけでなく、ポイントカード等へ用いることもでき、その他、多方面で応用することが可能である。
また、上記実施形態では、表裏判別可能カード１の長手方向中心から両側の領域内にＲＦＩＤタグ２をそれぞれ内蔵させた場合について述べたが、表裏判別可能カード１の幅方向中心から両側に分けた領域内にＲＦＩＤタグ２をそれぞれ設けてもよい。
【図面の簡単な説明】
【００５１】
【図１】本発明における第１実施形態の表裏判別可能カードの平面図である。
【図２】本発明における第１実施形態のスキャナの概要図である。
【図３】本発明における第１実施形態の表裏判別可能カード及びスキャナの側断面図である。
【図４】本発明における第１実施形態の表裏判別可能カードをスキャナにかざした時の概要図である。
【図５】本発明における第１実施形態の表裏判別可能カードをスキャナにかざした時の概要図である。
【図６】本発明における第２実施形態のスキャナの概要図である。
【図７】本発明における第２実施形態のスキャナによるＩＤ授受時の概要図である。
【図８】本発明における第２実施形態のスキャナによるＩＤ授受時の概要図である。
【図９】本発明における第２実施形態のスキャナによるＩＤ授受時の概要図である。
【図１０】本発明における第２実施形態のスキャナによるＩＤ授受時の概要図である。
【図１１】本発明における第３実施形態の第２表裏判別可能カードを示す斜視図である。
【図１２】本発明における第３実施形態のスキャナを示す斜視図である。
【図１３】本発明における第３実施形態の第２表裏判別可能カードをスキャナにかざした時の概要図である。
【図１４】本発明における第３実施形態の第２表裏判別可能カードをスキャナにかざした時の概要図である。
【符号の説明】
【００５２】
１  表裏判別可能カード（カード型媒体）
２  ＲＦＩＤタグ
５  通信部
９  表面判別用スキャナーアンテナ
１０  裏面判別用スキャナーアンテナ
１２，２２，３１  スキャナ
１４  媒体載置面
２７  表面用ＲＦＩＤタグ（ＲＦＩＤタグ）
２８  裏面用ＲＦＩＤタグ（ＲＦＩＤタグ）
３０  表裏判別用スキャナーアンテナ
３２  第２表裏判別可能カード（カード型媒体）
【図１】
2006277669.tif 000003
【図２】
2006277669.tif 000004
【図３】
2006277669.tif 000005
【図４】
2006277669.tif 000006
【図５】
2006277669.tif 000007
【図６】
2006277669.tif 000008
【図７】
2006277669.tif 000009
【図８】
2006277669.tif 000010
【図９】
2006277669.tif 000011
【図１０】
2006277669.tif 000012
【図１１】
2006277669.tif 000013
【図１２】
2006277669.tif 000014
【図１３】
2006277669.tif 000015
【図１４】
2006277669.tif 000016